(57)【特許請求の範囲】
【請求項１】
前面を開口した収容本体と、前記収容本体の前面開口部を塞ぐ水平回動式の扉と、前記扉の外周側に出没動可能なロック手段と、前記ロック手段を操作するためのハンドル部材と、前記ロック手段をロック状態に保持して施錠する施錠手段とを備えており、
前記ハンドル部材は、正面視において水平横向きに延びる形態で前記扉の前面に取り付けられていて、前記扉の開閉方向に移動操作可能になっており、前記ハンドル部材と前記ロック手段とは、前記ハンドル部材の回動動作を前記ロック手段の出没動に変換する機械的連動機構を介して連動連結されている、
という構成であって、
前記機械的連動機構は、前記扉の背面に沿ってスライド可能なスライド板と、前記扉の背面から突出する回転軸回りに回転可能な回転盤とを備えており、
前記スライド板と前記回転盤とは、前記ハンドル部材の回動動作に連動した前記スライド板のスライド移動によって、前記回転盤が前記回転軸回りに回転して前記ロック手段を出没動させるように関連している、
錠付き什器類。
【請求項２】
前記ハンドル部材は、前記扉の開閉方向に向けて水平回動可能なトリガー体と、前記トリガー体の前面側を覆うグリップ体とを備えており、前記グリップ体は、前記トリガー体と一緒に手で握り得るように前記扉の前面に取り付けられている、
請求項１に記載した錠付き什器類。
【請求項３】
前記トリガー体は、前記グリップ体と前記扉との間の空間に露出した把持アーム部と、前記扉を厚み方向に貫通した連動アーム部とにより、平面視略Ｌ字状の形態になっており、前記スライド板の長手中途部に形成された角穴に、前記トリガー体における前記連動アーム部の先端部が差し込まれている、
請求項２に記載した錠付き什器類。
【発明の詳細な説明】
【技術分野】
【０００１】
本願発明は、例えば金庫のように扉に施錠手段が設けられている什器類に関するものである。なお、什器類には、例えば金庫室や危険物保管室のように建物の一部になっている構造体も含まれるものとする。
【背景技術】
【０００２】
従来から、金庫における水平回動式の扉の前面には、上下回動操作が可能なハンドルが設けられている。扉の背面側（又は内部）には、ハンドルの上下回動に連動して扉の外周側に出没動するロック杆が設けられている一方、金庫本体の開口内周側には、ロック杆を係脱させるための係合穴が形成されている。
【０００３】
この場合、ハンドルの上下回動操作にてロック杆を金庫本体の係合穴に対して係脱させることにより、扉の開閉が阻止又は許容される。そして、ロック杆が金庫本体の係合穴に係合した状態で、ロック杆の没入動（後退動）を施錠手段にて阻止することにより、扉が施錠される。施錠手段としては、ダイヤル錠及びシリンダ錠の組合せや、扉の前面に設けられた入力部を操作して解錠する電子錠が採用される。
【特許文献１】特開平９−７８９１１号公報
【発明の開示】
【発明が解決しようとする課題】
【０００４】
前記従来の構成において扉を開放する手順は以下のようになる。まず、施錠手段を解錠操作した後、ハンドルを握って所定の上下方向に回動操作する。そうすると、ロック杆が没入動（後退動）して金庫本体の係合穴との係合が解除される。そして、この状態でハンドルを手前に引くのである。
【０００５】
このように前記従来の構成では、扉を開放するに際して、ハンドルを握った状態で、手首を捻ってから手前に引くという不連続な動作をしなければならないから、操作し易いとは言い難く、昨今提唱されているユニバーサルデザイン（できるだけ多くの人が簡単且つスムーズに使えるように設計すること）の観点から見ると、未だ改善の余地があった。
【０００６】
本願発明は、このような現状を改善することを主たる課題とするものである。
【課題を解決するための手段】
【０００７】
請求項１の発明は、前面を開口した収容本体と、前記収容本体の前面開口部を塞ぐ水平回動式の扉と、前記扉の外周側に出没動可能なロック手段と、前記ロック手段を操作するためのハンドル部材と、前記ロック手段をロック状態に保持して施錠する施錠手段とを備えている錠付き什器類であって、前記ハンドル部材は、正面視において水平横向きに延びる形態で前記扉の前面に取り付けられていて、前記扉の開閉方向に移動操作可能になっており、前記ハンドル部材と前記ロック手段とは、前記ハンドル部材の回動動作を前記ロック手段の出没動に変換する機械的連動機構を介して連動連結されている、という基本構成を有する。
【０００８】
更に、請求項１の発明は、上記基本構成において、前記機械的連動機構は、前記扉の背面に沿ってスライド可能なスライド板と、前記扉の背面から突出する回転軸回りに回転可能な回転盤とを備えており、前記スライド板と前記回転盤とは、前記ハンドル部材の回動動作に連動した前記スライド板のスライド移動によって、前記回転盤が前記回転軸回りに回転して前記ロック手段を出没動させるように関連しているというものであ
る。
【０００９】
請求項２の発明は、請求項１に記載した錠付き什器類において、前記ハンドル部材は、前記扉の開閉方向に向けて水平回動可能なトリガー体と、前記トリガー体の前面側を覆うグリップ体とを備えており、前記グリップ体は、前記トリガー体と一緒に手で握り得るように前記扉の前面に取り付けられているというものである。
【００１０】
請求項３の発明は、請求項２に記載した錠付き什器類において、前記トリガー体は、前記グリップ体と前記扉との間の空間に露出した把持アーム部と、前記扉を厚み方向に貫通した連動アーム部とにより、平面視略Ｌ字状の形態になっており、前記スライド板の長手中途部に形成された角穴に、前記トリガー体における前記連動アーム部の先端部が差し込まれているというものである。
【発明の効果】
【００１１】
本願発明によると、ハンドル部材は、正面視において水平横向きに延びる形態で扉の前面に取り付けられていて、前記扉の開閉方向に移動操作可能になっており、前記ハンドル部材と前記ロック手段とは、前記ハンドル部材の回動動作をロック手段の出没動に変換する機械的連動機構を介して連動連結されている。
【００１２】
このため、前記扉を開放する際は、施錠手段を解錠した後、前記ハンドル部材を握って前記扉を手前（前記開放方向）に引くという極めて自然な動作をするだけで、前記ロック手段を没入状態にして前記扉を開放できることになる。従って、人は簡単且つスムーズに扉の開放操作を行うことができて、ユニバーサルデザインの観点からもユーザーフレンドリーな錠付き什器類となるのである。
【００１３】
更に、本願発明によると、前記機械的連動機構は、前記扉の背面に沿ってスライド可能なスライド板と、前記扉の背面から突出する回転軸回りに回転可能な回転盤とを備えており、前記スライド板と前記回転盤とは、前記ハンドル部材の回動動作に連動した前記スライド板のスライド移動によって、前記回転盤が前記回転軸回りに回転して前記ロック手段を出没動させるように関連しているから、前記ハンドル部材を握って前記扉を手前に引くという極めて自然な動作で前記扉を開放できるものでありながら、前記スライド板及び前記回転盤という少ない部品構成で、前記扉の開閉方向に沿った前記ハンドル部材の回動動作を、効率よくスムーズに前記ロック手段に伝達できるという効果を奏する。
【００１４】
請求項２の発明によると、前記ハンドル部材は、前記扉の開閉方向に向けて水平回動可能なトリガー体と、前記トリガー体の前面側を覆うグリップ体とを備えており、前記グリップ体は、前記トリガー体と一緒に手で握り得るように前記扉の前面に取り付けられているから、前記トリガー体を移動操作するための操作力が、その回動支点付近に集中的に作用するのを防止できる。このため、前記トリガー体の円滑な回動を確保して、前記トリガー体の回動にこじれが生ずるのを防止でき、その結果、前記扉の開閉をスムーズに行えるという効果を奏する。
【００１５】
請求項３の発明によると、前記トリガー体は、前記グリップ体と前記扉との間の空間に露出した把持アーム部と、前記扉を厚み方向に貫通した連動アーム部とにより、平面視略Ｌ字状の形態になっており、前記スライド板の長手中途部に形成された角穴に、前記トリガー体における前記連動アーム部の先端部が差し込まれているから、前記扉の開閉方向に沿った前記ハンドル部材の回動動作を、前記扉の背面に沿った前記スライド板のスライド移動に変換する構造が至極簡単になるという効果を奏する。
【発明を実施するための最良の形態】
【００１６】
以下に、本願発明を錠付き什器類の一例である金庫に適用した実施形態を図面（図１〜図１５）に基づいて説明する。
【００１７】
（１）．第１実施形態
図１〜図７は本願発明の第１実施形態を示している。図１は第１実施形態における金庫の斜視図、図２のうち（ａ）は扉の背面側の説明図、（ｂ）はロック杆収納機構の説明図、図３はハンドル部材及び操作筐体の拡大正面図、図４はハンドル部材及び操作筐体の拡大平面図、図５はハンドル部材の拡大平面断面図、図６は操作筐体の拡大側面図、図７はダイヤル錠の取り付け態様を示す拡大斜視図である。
【００１８】
（１−１）．金庫の概要
まず始めに、図１及び図２を参照しながら、金庫１の概要について説明する。なお、図２（ａ）（ｂ）では内カバー体の図示を省略して内部構造を開示している。
【００１９】
錠付き什器類の一例としての金庫１は、前面を開口した略箱型の収容本体２と、収容本体２の前面開口部を塞ぐ水平回動式の扉３とを備えている。収容本体２及び扉３は、防盗性及び耐火性を有する従来公知の材料（例えばコンクリート）が内部壁として充填された金属板枠製のものである。扉３は、横一側部に設けられた蝶番４を介して、水平回動可能（開閉可能）に構成されている。なお、以下の説明では、金庫１において扉３のある側面を前面と称して、これを基準に前後左右を表現する（従って、正面視での左右と逆になる。）。また、回転方向に関する「時計回り方向」「反時計回り方向」はそれぞれ「時計方向」「反時計方向」と略している。
【００２０】
扉３の前面のうち自由端寄りの箇所には開閉操作用のハンドル部材５が装着されている。ハンドル部材５は正面視において水平横向きに延びる形態に形成されている。扉３の前面のうちハンドル部材５の横側方（実施形態では蝶番４側である左側方）には、前向きに突出する略箱型の操作筐体６が背面側からの複数のボルト７（図４〜図５参照）にて固定されている。操作筐体６の前面には、施錠手段としてのダイヤル錠８の操作部であるダイヤル摘み９を露出させている。すなわち、第１実施形態の金庫１はダイヤル錠８タイプのものである。また、扉３の前面のうちハンドル部材５の下方には、シリンダ錠１０の鍵穴１１を露出させている。
【００２１】
図２（ａ）に示すように、扉３の内部には、前述したダイヤル錠８及びシリンダ錠１０と、扉３の外周側に出没動可能なロック手段としての複数のロック杆１２と、ロック杆１２群の出没動とハンドル部材５の操作とを関連させる機械的連動機構１３とが配置されている。扉３の背面側には金属板製の内カバー体（図示省略）が設けられており、扉３の内部にある部品（各ロック杆１２のや機械的連動機構１３）は扉３の背面側からも見えなくなっている（隠されている）。なお、詳細は図示していないが、収容本体２内には、貴重品等の物品を収容するための棚板や抽斗が多段に設けられている。
【００２２】
（１−２）．ハンドル部材と操作筐体との詳細構造
次に、図３〜図５を参照しながら、ハンドル部材５と操作筐体６との詳細構造について説明する。
【００２３】
ハンドル部材５は、扉３の開閉方向に向けて移動操作可能なトリガー体１５と、トリガー体１５の前面側を覆うグリップ体１６とを備えている。グリップ体１６は、水平横長の把手部１７と、把手部１７の左右両端部から同じ向きに突出する一対の脚部１８，１９とにより、平面視略コ字状の形態になっている。左右両脚部１８，１９が扉３の前面にボルト及びナットにて締結されている。グリップ体１６と扉３の前面とで囲われた空間Ｓは手指を挿入可能な大きさになっている。把手部１７の前面側には、水平横長の化粧板２０が取り付けられている。グリップ体１６の内周側（隙間Ｓに臨む側）には、左脚部１８から把手部１７を経て右脚部１９に至る凹み溝２１が形成されている（図５参照）。
【００２４】
トリガー体１５は、グリップ体１６と扉３との間の空間Ｓに露出した把持アーム部２２と、扉３を厚み方向に貫通した連動アーム部２３とにより、平面視略Ｌ字状の形態に形成されている。このように、トリガー体１５の把持アーム部２２をグリップ体１６と扉３との間の空間Ｓに露出させているため、空間Ｓ内に手指を挿入して、トリガー体１５の把持アーム部２２とグリップ体１６の把手部１７とを一緒に握ることが可能になっている。把持アーム部２２と連動アーム部２３とのコーナ部は、グリップ体１６の凹み溝２１のうち左脚部１８側の箇所に、縦向きの枢支軸２４にて水平回動可能に枢着されている。
【００２５】
詳細は後述するが、第１実施形態では、トリガー体１５の把持アーム部２２が枢支軸２４回りに（扉３の開閉方向に向けて）水平回動すると、連動アーム部２３が把持アーム部２２と共に枢支軸２４回りに一体回動し、その先端部の押圧作用にて、扉３の内部に配置されたスライド板３４を左右方向（図２（ａ）の矢印ＳＬ，ＳＲ方向参照）にスライド移動させるように構成されている。
【００２６】
図１及び図４〜図６から分かるように、ハンドル部材５の左側方に配置された操作筐体６は、上面及び前面を開口した略箱型の基台２５と、基台２５の上面から前面までを覆う蓋カバー体２６とにより構成されており、基台２５の背面部が扉３の前面にボルト７で締結されている。蓋カバー体２６は基台２５の上面及び前面側に取り外し可能に取り付けられている。
【００２７】
蓋カバー体２６における前面の大部分は、扉３の前方に向けて斜め下向きに傾斜した傾斜面２７に形成されている。換言すると、蓋カバー体２６における前面の大部分は、側面視において上端から下端に近付くに連れて操作筐体６の前後長さが長くなるように傾斜した傾斜面２７になっている。蓋カバー体２６の前面下部は前向き凸の湾曲面２８になっている。傾斜面２７と湾曲面２８とのつなぎ目には段差がなく、互いに滑らかに連続した外観になっている。第１実施形態では、傾斜面２７の水平に対する傾斜角度θが約５５°に設定されている（図６参照）。
【００２８】
蓋カバー体２６の傾斜面２７上には、施錠手段としてのダイヤル錠８の操作部であるダイヤル摘み９が前方に露出するようにして配置されている。このため、ダイヤル摘み９から後ろ向きに突出するダイヤル軸２９は、傾斜面２７と直交する後方斜め下向きに延びて、操作筐体６と扉３とを貫通することになる。
【００２９】
ところで、従来の金庫では、扉における鉛直な前面に、施錠手段の操作部（ダイヤル摘みやテンキー式の入力部等）を直接取り付けている。このため、金庫の大きさにもよるが、使用者が操作部を操作する際に、立ったままでは操作部が見づらく、操作部と正対するのに一々しゃがまなければならない。
【００３０】
この点、実施形態では、蓋カバー体２６のうち前方斜め下向きに傾斜した傾斜面２７上にダイヤル錠８のダイヤル摘み９を配置しているので、使用者がダイヤル摘み９を操作するに際しては、目線を下げるか前屈みになれば、一々しゃがみ込まなくても、ダイヤル摘み９と正対できる。従って、ダイヤル摘み９が見易くその操作性が向上するのである。
【００３１】
また、前述の通り、蓋カバー体２６のうち前方斜め下向きに傾斜した傾斜面２７上にダイヤル摘み９を配置しているから、ダイヤル軸２９は、傾斜面２７と直交する後方斜め下向きに延びることになる。このため、賊が金庫を壊す際にダイヤル摘み９をハンマー等で水平に叩いたりしても、ダイヤル軸２９には、水平の殴打力のうち後方斜め下向きの分力しか作用せず、ダイヤル軸２９を抜き取り難いという利点もある。
【００３２】
操作筐体６（蓋カバー体２６及び基台２５）の左下コーナ部には、グリップ体１６の左脚部１８に対応した段部３０（図３参照）が凹み形成されている。扉３の前面に操作筐体６を取り付けた状態では、操作筐体６の段部３０がグリップ体１６の左脚部１８に上方から被さっている。換言すると、操作筐体６の右側部は、平面視においてグリップ体１６の左脚部１８に重なっている（オーバーラップしている）。グリップ体１６における化粧板２０の左端部は、正面視において蓋カバー体２６の前面下部側に張り出した状態になっている。
【００３３】
図１及び図６に示すように、グリップ体１６における化粧板２０の前面は、蓋カバー体２６の前面下部と同様に、前向き凸の湾曲面３１に形成されている。その上、蓋カバー体２６の傾斜面２７及び湾曲面２８と、化粧板２０の湾曲面３１とは、それぞれ別体ではあるものの、互いに連続する同一の曲面であるかのように、一体感のある外観に形成されている。
【００３４】
このように構成すると、操作筐体６の右側部が平面視においてグリップ体１６の左脚部１８に重なっている（オーバーラップしている）ので、ハンドル部材５の水平横方向の長さ（手で握る部分の長さ）を十分に確保した上で、ハンドル部材５と操作筐体６とをコンパクトにまとめて配置できる。
【００３５】
また、蓋カバー体２６の傾斜面２７及び湾曲面２８と、化粧板２０の湾曲面３１とが、互いに連続する同一の曲面であるかのように一体感のある外観に形成されているため、ハンドル部材５及び操作筐体６の組合せ全体としてデザイン的に違和感がなく、美感にも優れているのである。
【００３６】
（１−３）．扉内部の解施錠に関する構造
次に、図２及び図７を参照しながら、扉３内の解施錠に関する構造について説明する。
【００３７】
扉３の内部に配置された機械的連動機構１３は、ハンドル部材５の回動動作を複数のロック杆１２の出没動に変換するためのものであり、扉３の内背面から後ろ向きに突出する回転軸３２に回転可能に枢支された回転盤３３を備えている。回転盤３３には、左右水平状に延びるスライド板３４と、ロック手段としての複数のロック杆１２とがそれぞれピンにて結節されている。なお、以下の説明及び図面では便宜上、扉３の上端面に向けて延びる第１ロック杆１２に符号ａを、扉３の自由端に向けて延びる第２ロック杆１２に符号ｂを、扉３の下端面に向けて延びる第３ロック杆１２に符号ｃを付している。
【００３８】
スライド板３４及び各ロック杆１２は、例えばピン等のガイド手段にて、長手方向に沿ってスライド移動し得るように支持されている。スライド板３４の長手中途部には、横長の角穴３５が形成されている。当該角穴３５には、トリガー体１５のうち扉３を厚み方向に貫通した連動アーム部２３の先端部が差し込まれている。
【００３９】
第１実施形態では、第３ロック杆１２ｃが、その長手中途部と扉３の内背面に突設された取り付け軸３６との間に装架された引っ張りバネ３７にて、扉３の下端面から下向きに突出する方向に常時付勢されている。このため、トリガー体１５を操作していない状態では、引っ張りバネ３７の弾性付勢力が各ロック杆１２を扉３の外周面から突出させる方向に作用することになる。
【００４０】
ダイヤル錠８及びシリンダ錠１０を解錠すると共に扉３を閉止した状態で、トリガー体１５の把持アーム部２２が、図４及び図５において枢支軸２４の軸心回りの反時計方向（扉３の開放方向）に水平回動すると（図５の二点鎖線状態参照）、連動アーム部２３の先端部がスライド板３４を図２（ａ）の矢印ＳＲ方向に押圧してスライド移動させる。そうすると、スライド板３４の作用にて、回転盤３３が図２（ａ）において回転軸３２の軸心回りの時計方向（矢印ＴＲ方向参照）に回転し、各ロック杆１２の先端側が扉３の外周面から一斉に没入（後退）する。その結果、収容本体２の内周面に形成された係合穴（図示せず）と各ロック杆１２の係合が解除され、扉３の開閉を許容する没入状態（フリー状態）になる。
【００４１】
その後、扉３を閉止したときは、引っ張りバネ３７の弾性復元力にて、第３ロック杆１２ｃの先端側が扉３の外周面から突出して、収容本体２の係合穴（図示せず）に係合し、扉３の開閉を阻止する突出状態（ロック状態）になる。このため、回転盤３３が図２（ａ）において回転軸３２回りの反時計方向（矢印ＴＬ方向参照）に回転し、その他のロック杆１２ａ，１２ｂの先端側も扉３の外周面から突出して、収容本体２の係合穴（図示せず）に係合し、扉３の開閉を阻止する突出状態（ロック状態）になる。
【００４２】
また、回転盤３３の矢印ＴＬ方向への回転に伴い、スライド板３４が図２（ａ）の矢印ＳＬ方向にスライド移動し、連動アーム部２３の先端部もスライド板３４と共に図２（ａ）の矢印ＳＬ方向に移動する。その結果、トリガー体１５の把持アーム部２２が、図４及び図５において枢支軸２４回りの時計方向（扉３の閉止方向）に水平回動して、図４及び図５の実線にて示す元の状態に戻るのである。
【００４３】
さて、前述の通り、トリガー体１５を操作していない状態では、引っ張りバネ３７の弾性付勢力が各ロック杆１２を扉３の外周面から突出させる方向に作用することになる。この点に関して第１実施形態では、特開平１０−１８４１１８号公報等で公知のものと同様なロック杆収納機構６０が採用されている。すなわち、図２（ｂ）に示すように、扉３の内背面のうち第３ロック杆１２ｃの近傍に、板バネ製の規制片６１が、上端側のみボルト止めした吊り下げ状態で配置されており、扉３を開放した状態では、規制片６１の背面側に突設された係止片部６２に、没入状態になっている第３ロック杆１２ｃの端面部６３を当接（引っ掛かり係合）させることによって、扉３を閉止するまでの間は、各ロック杆１２を突出不能に保持して、没入状態（フリー状態）を維持するように構成されている。
【００４４】
また、この構成においては、扉３を奥側（扉３の閉止方向）に押して閉止すれば、収容本体２の下端開口縁が規制片６１の先端部を前向きに押圧するため、規制片６１の係止片部６２と第３ロック杆１２ｃの端面部６３との引っ掛かり係合が解除される。その結果、引っ張りバネ３７の弾性付勢力にて、全てのロック杆１２が扉３の外周面から突出した突出状態（ロック状態）に保持されることになり、ひいては、トリガー体１５の把持アーム部２２が図４及び図５に示す水平姿勢に保持されることになる。
【００４５】
扉３の内背面のうち回転盤３３の近傍には、取り付けブラケット３８がスライド板３４の左半部を跨ぐようにして（後方から被さるようにして）ボルト締結されている（図７参照）。取り付けブラケット３８の下半部は、扉３の内背面に向けて斜め下向きに傾斜した傾斜面３９になっている。詳細は図示しないが、取り付けブラケット３８の傾斜面３９と操作筐体６における蓋カバー体２６の傾斜面２７とは平行状な関係に設定されている。
【００４６】
取り付けブラケット３８の傾斜面３９には、施錠手段としてのダイヤル錠８が取り付けられている。ダイヤル摘み９から後方斜め下向きに延びるダイヤル軸２９は、取り付けブラケット３８を貫通してダイヤル錠８に連結されている。ダイヤル錠８は、ダイヤル摘み９の回転操作にて回転盤３３に向けて進退動するダイヤル閂体４０を備えている。他方、回転盤３３の広幅面には、各ロック杆１２が突出状態（ロック状態）のときに、突出状態のダイヤル閂体４０に当接して回転盤３３の矢印ＴＲ方向への回転を阻止するロック突片４１が後ろ向きに突設されている。
【００４７】
扉３を閉止してから各ロック杆１２を突出させ、かかる突出状態（ロック状態）でダイヤル錠８を施錠操作すると、ダイヤル閂体４０が進出動して回転盤３３のロック突片４１に当接し、回転盤３３の矢印ＴＲ方向への回転を阻止する。その結果、回転盤３３ひいては各ロック杆１２が突出状態（ロック状態）に保持され、扉３が開放不能になる。
【００４８】
扉５の内背面のうち回転盤３３の下方で且つ第３ロック杆１２ｃの近傍には、シリンダ錠１０が取り付けられている。シリンダ錠１０は、鍵（図示せず）の回転操作にて第３ロック杆１２ｃに向けて進退動するシリンダ閂体４２を備えている。他方、第３ロック杆１２ｃの長手中途部には、第３ロック杆１２ｃが突出状態（ロック状態）のときにシリンダ閂体４２を係脱させる切り欠き４３が形成されている。
【００４９】
扉３を閉止してから各ロック杆１２を突出させ、かかる突出状態（ロック状態）でシリンダ錠１０を施錠操作すると、シリンダ閂体４２が進出動して第３ロック杆１２ｃの切り欠き４３に係合し、第３ロック杆１２ｃがスライド不能になる。その結果、第１及び第２ロック杆１２ａ，１２ｂも突出状態（ロック状態）に保持され、扉３が開放不能になる。
【００５０】
以上の構成において、扉３を開放する際は、ダイヤル錠８及びシリンダ錠１０を解錠した後、ハンドル部材５のグリップ体１６と扉３の前面とで囲われた空間Ｓに手指を差し入れ、トリガー体１５の把持アーム部２２とグリップ体１６の把手部１７とを共に握ることによって、各ロック杆１２の先端を扉３の外周面から一斉に没入（後退）させ、各ロック杆１２を没入状態（フリー状態）にする。そして、ハンドル部材５を握ったままで手前（扉３の開放方向）に引けばよい。
【００５１】
すなわち、ハンドル部材５を握って扉３を手前（扉３の開放方向）に引くという極めて自然な１つの動作で扉３を開放できるから、人は簡単且つスムーズに扉３の開放操作を行え、ユニバーサルデザインの観点からもユーザーフレンドリーな金庫１となる。
【００５２】
この場合、機械的連動機構１３を構成するスライド板３４及び回転盤３３が、ハンドル部材５の回動動作に連動したスライド板３４のスライド移動によって、回転盤３３が回転軸３２回りに回転して各ロック杆１２を出没動させるように関連しているので、ハンドル部材５を握って扉３を手前に引くという極めて自然な動作で扉３を開放できるものでありながら、スライド板３４及び回転盤３３という少ない部品構成で、扉３の開閉方向に沿ったハンドル部材５の回動動作を、効率よくスムーズに各ロック杆１２に伝達できる。
【００５３】
また、第１実施形態では、ロック杆収納機構６０を構成する規制片６１の係止片部６２に、没入状態になっている第３ロック杆１２ｃの端面部６３を当接（引っ掛かり係合）させるから、扉３を開放した後にハンドル部材５から手を離しても、各ロック杆１２を突出不能に保持でき、その後の扉３の閉止操作にスムーズに移行できる。
【００５４】
その上、扉３を奥側（扉３の閉止方向）に押し込むと、ロック杆収納機構６０による各ロック杆１２の没入状態の維持が解除され、引っ張りバネ３７の弾性付勢力にて、各ロック杆１２の先端が扉３の外周面から一斉に突出し、各ロック杆１２が自動的に突出状態（ロック状態）になる。その後、ダイヤル錠８及びシリンダ錠１０を施錠すればよい。従って、扉３の閉止時は、扉３を奥側（扉３の閉止方向）に押すだけでよく、極めて簡単に扉３の閉止操作を行える。
【００５５】
特に第１実施形態では、各ロック杆１２を没入状態にするために、トリガー体１５の把持アーム部２２とグリップ体１６の把手部１７とを一緒に握る構成になっているから、トリガー体１５を枢支軸２４回りに回動操作するための操作力が、枢支軸２４付近に集中的に作用するのを防止できる。このため、トリガー体１５の円滑な回動を確保して、トリガー体１５の回動にこじれが生ずるのを防止でき、その結果、扉３の開閉をスムーズに行える。
【００５６】
しかも、スライド板３４の長手中途部に形成された角穴３５に、トリガー体１５における連動アーム部２３の先端部を差し込むという構成を採用しているから、扉３の開閉方向に沿ったハンドル部材５の回動動作を、扉３の背面に沿ったスライド板３４のスライド移動に変換する構造が至極簡単になるのである。
【００５７】
（２）．第２実施形態
図８及び図９は本願発明の第２実施形態を示している。図８のうち（ａ）は操作筐体に設けられた操作部の第２実施形態を示す要部拡大図、（ｂ）は第２実施形態の別例を示す要部拡大図、図９は第２実施形態における操作筐体の拡大側面図である。
【００５８】
図８（ａ）及び図９に示す第２実施形態では、蓋カバー体２６の傾斜面２７上に、施錠手段としての電子錠（図示省略）の操作部であるテンキー式の入力部４４と、指紋照合装置４５の指紋認識部４６と、操作指令を表示可能な液晶パネル部４７とを配置した点において、第１実施形態のものと相違している。この場合、電子錠は第１実施形態のダイヤル錠８に代わるものである。詳細は省略するが、予め設定された指紋パターン及び暗証番号通りの入力が行われると、回転盤３３に向けて進退動可能な閂体がモータの駆動にて退入動し、回転盤３３の回転、ひいては、各ロック杆１２のスライド移動が許容されることになる。その他の構成は概ね第１実施形態と同じである。
【００５９】
第２実施形態の操作筐体６は、側面視において上端から下端に近付くに連れて前後長さが長くなる形態に形成されているため、基台２５の下部にはスペースがある。かかるスペースには、前述のモータに駆動電力を供給する複数の乾電池４８を収容するための蓋体５０付きの電池収容部４９が形成されている（図９参照）。蓋体５０は、基台２５のうち段部３０と反対側の側面（実施形態では左側面）に開閉可能に設けられている。乾電池４８群は、乾電池ホルダに装着した状態で電池収容部４９内に挿入される。基台２５における電池収容部４９の上方には、指紋照合装置４５の本体部分が内蔵されている。
【００６０】
このように構成すると、操作筐体６内に、乾電池４８や指紋照合装置４５の本体部分を収容でき、これらを収容するための穴を扉３に形成する必要がないから、扉３の剛性を高い状態に維持できる。また、電力供給源として乾電池４８を利用するため、商用電源のコンセント等がないような場所でも金庫１を使用でき、取り扱い易いという利点もある。しかも、電池収容部４９が収容本体２及び扉３の外部に設けられているため、乾電池４８の入れ替えの際に扉３を開閉しなくても済む。この点も防盗性の向上に寄与している。
【００６１】
なお、図８（ｂ）に示す第２実施形態の別例のように、蓋カバー体２６の傾斜面２７上には、電子錠操作部として、テンキー式の入力部５１のみを配置してもよい。この場合は、予め設定された暗証番号通りの入力が入力部５１から行われると、回転盤３３に向けて進退動可能な閂体がモータの駆動にて退入動し、回転盤３３の回転、ひいては、各ロック杆１２のスライド移動が許容されることになる。
【００６２】
（３）．第３実施形態
図１０〜図１３は本願発明の第３実施形態を示している。図１０のうち（ａ）は第３実施形態におけるロック状態での扉の背面説明図、（ｂ）はフリー状態での扉の背面説明図、図１１はハンドル部材の拡大平面断面図、図１２のうち（ａ）は開放状態でのロック杆収納機構の拡大背面図、（ｂ）は閉止状態でのロック杆収納機構の拡大背面図、図１３のうち（ａ）は開放状態でのロック杆収納機構の平面断面図、（ｂ）は閉止状態でのロック杆収納機構の平面断面図である。第３実施形態では、扉３内の解施錠に関する構造が第１実施形態のものと若干相違している。その他の構成は概ね第１実施形態と同じである。
【００６３】
以下では、第１実施形態との相違点について説明する。なお、図１０では、図２と同様に内カバー体１４の図示を省略し、図１２では、内カバー体１４を二点鎖線にて示して内部構造を開示している。第３実施形態における扉３の内部には、ダイヤル錠８及びシリンダ錠１０と、扉３の外周側に出没動可能なロック手段としての複数のロック杆７２と、ロック杆７２群の出没動とハンドル部材５の操作とを関連させる機械的連動機構７３とが配置されている。
【００６４】
第３実施形態の機械的連動機構７３も、第１実施形態と同様に、ハンドル部材５の回動動作を複数のロック杆７２の出没動に変換するためのものであり、扉３の内背面に沿ってスライド可能なスライド板３４と、扉３の背面から後ろ向きに突出する回転軸７４ａ，７４ｂに回転可能に枢支された２つの回転盤７５ａ，７５ｂとを備えている。
【００６５】
スライド板３４には、その下方に位置する第１回転盤７５ａのうち回転軸７４ａを挟んで一端側にピンにて結節されている。第１回転盤７５ａのうち回転軸７４ａを挟んで他端側には、扉３の自由端に向けて左右水平状に延びる第１ロック杆７２ａがピンにて結節されている。第１ロック杆７２ａは、例えばピン等のガイド手段にて、左右長手方向に沿ってスライド可能に支持されている。
【００６６】
また、第１ロック杆７２ａは、その下方に位置する第２回転盤７５ｂにピンにて結節されている。第２回転盤７５ｂには、第１ロック杆７２ａ以外に、扉３の上端面に向けて第１ロック杆７２ａ及びスライド板３４と交差して延びる第２ロック杆７２ｂと、扉３の下端面に向けて延びる第３ロック杆７２ｃとがそれぞれピンにて結節されている。
【００６７】
第３実施形態においても、第３ロック杆７２ｃが、その長手中途部と扉３の内背面に突設された取り付け軸７６との間に装架された引っ張りバネ７７にて、扉３の下端面から下向きに突出する方向に常時付勢されている。このため、トリガー体１５を操作していない状態では、引っ張りバネ７７の弾性付勢力が各ロック杆７２を扉３の外周面から突出させる方向に作用することになる。
【００６８】
ダイヤル錠８及びシリンダ錠１０を解錠すると共に扉３を閉止した状態で、トリガー体１５の把持アーム部２２が、図１１において枢支軸２４回りの反時計方向（扉３の開放方向）に水平回動すると（図１１の一点鎖線状態参照）、連動アーム部２３の先端部がスライド板３４を図１０（ａ）の矢印ＳＲ方向に押圧してスライド移動させる。
【００６９】
そうすると、スライド板３４の作用にて、第１回転盤７５ａが図１０（ａ）において回転軸７４ａ回りの時計方向（矢印ＴＲ１方向参照）に回転し、第１ロック杆７２ａの先端側を扉３の外周面から没入（後退）させる。そして、第１ロック杆７２ａの没入動に伴い、第２回転盤７５ｂが図１０（ａ）において回転軸７４ｂ回りの反時計方向（矢印ＴＬ２方向参照）に回転し、第２ロック杆７２ｂ及び第３ロック杆７２ｃの先端側を扉３の外周面から没入させる。その結果、収容本体２の内周面に形成された係合穴（図示せず）と各ロック杆７２の係合が解除され、扉３の開閉を許容する没入状態（フリー状態）になる（図１０（ｂ）参照）。
【００７０】
その後、扉３を閉止したときは、引っ張りバネ７７の弾性復元力にて、第３ロック杆７２ｃの先端側が扉３の外周面から突出して、収容本体２の係合穴（図示せず）に係合し、扉３の開閉を阻止する突出状態（ロック状態）になる。また、第３ロック杆７２ｃの突出動に伴い、第２回転盤７５ｂが図１０（ｂ）において回転軸７４ｂ回りの時計方向（矢印ＴＲ２方向参照）に回転し、その他のロック杆７２ａ，７２ｂの先端側を扉３の外周面から突出させて、収容本体２の係合穴（図示せず）に係合させる。
【００７１】
また、第１ロック杆７２ａの突出動に伴い、第１回転盤７５ａが図１０（ｂ）において回転軸７４ａ回りの時計方向（矢印ＴＬ１方向参照）に回転し、スライド板３４を図１０（ｂ）の矢印ＳＬ方向にスライド移動させ、連動アーム部２３の先端部もスライド板３４と共に図１０（ｂ）の矢印ＳＬ方向に移動させる。その結果、トリガー体１５の把持アーム部２２が、図１１において枢支軸２４回りの時計方向（扉３の閉止方向）に水平回動して、図１１の実線にて示す元の状態に戻るのである。
【００７２】
ところで、前述の通り、トリガー体１５を操作していない状態では、引っ張りバネ７７の弾性付勢力が各ロック杆７２を扉３の外周面から突出させる方向に作用することになる。この点に関して第３実施形態においても、各ロック杆７２を突出不能に保持するためのロック杆収納機構８０を備えている。
【００７３】
すなわち、図１２及び図１３に示すように、扉３の内背面のうち第３ロック杆７２ｃの近傍に固着された略コ字状の支持ブラケット８１には、Ｌ字板状に形成された規制片８２の中途部が、縦向きのピン軸８３を介して水平回動可能に枢支されている。規制片８２の基端部は第３ロック杆７２ｃの箇所まで延びている一方、規制片８２の先端部は内カバー体１４に形成された開口穴８４から外側に露出している。ピン軸８３の外周部には、規制片８２の基端部を第３ロック杆７２ｃに当接する方向に押圧付勢するコイルバネ８５が被嵌されている。
【００７４】
扉３を開放した状態では、規制片８２における基端部の上面を、没入状態になっている第３ロック杆７２ｃに固着された係合爪部８６に当接（引っ掛かり係合）させることによって、扉３を閉止するまでの間は、各ロック杆７２を突出不能に保持して、没入状態（フリー状態）が維持されることになる（図１２（ａ）及び図１３（ａ）参照）。
【００７５】
また、この構成において、扉３を奥側（扉３の閉止方向）に押して閉止すれば、収容本体２の内側下部に設けられたノブネジ８７が規制片８２の先端部を前向きに押圧するため、規制片８２の基端部と第３ロック杆７２ｃの係合爪部８６との引っ掛かり係合が解除される（図１２（ｂ）及び図１３（ｂ）参照）。その結果、引っ張りバネ７７の弾性付勢力にて、全てのロック杆７２が扉３の外周面から突出した突出状態（ロック状態）に保持されることになり、ひいては、トリガー体１５の把持アーム部２２が図１１に示す水平姿勢に保持されることになる。
【００７６】
さて、図１０に示すように、施錠手段としてのダイヤル錠８は、ダイヤル摘み９の回転操作にて第２ロック杆７２ｂに向けて進退動するダイヤル閂体９０を備えている。他方、第２ロック杆７２ｂの長手中途部には、各ロック杆７２が突出状態（ロック状態）のときに、突出状態のダイヤル閂体９０に引っ掛かり係合して第２ロック杆７２ｂの没入動を阻止する鉤状片９１が後ろ向きに突設されている。
【００７７】
扉３を閉止してから各ロック杆７２を突出させ、かかる突出状態（ロック状態）でダイヤル錠８を施錠操作すると、ダイヤル閂体９０が進出動して第２ロック杆７２ｂの鉤状片９１に引っ掛かり係合し、第２ロック杆７２ｂの没入動を阻止する（第２ロック杆７２ｂがスライド不能になる）。その結果、第２ロック杆７２ｂひいてはその他のロック杆７２ａ，７２ｃも全て突出状態（ロック状態）に保持され、扉３が開放不能になる。
【００７８】
扉５の内背面のうち第１ロック杆７２ａの下方にはシリンダ錠１０が設けられている。シリンダ錠１０は、鍵（図示せず）の回転操作にて第１ロック杆７２ａに向けて進退動するシリンダ閂体９２を備えている。他方、第１ロック杆７２ａの長手中途部には、第１ロック杆７２ａが突出状態（ロック状態）のときにシリンダ閂体９２を係脱させる係合爪９３が形成されている。
【００７９】
扉３を閉止してから各ロック杆７２を突出させ、かかる突出状態（ロック状態）でシリンダ錠１０を施錠操作すると、シリンダ閂体９２が進出動して第１ロック杆７２ａの係合爪９３に引っ掛かり係合し、第１ロック杆７２ａがスライド不能（没入動不能）になる。その結果、第２及び第３ロック杆７２ｂ，７２ｃも突出状態（ロック状態）に保持され、扉３が開放不能になる。
【００８０】
以上のように構成した場合も、第１実施形態と同様の作用効果が得られるのである。
【００８１】
（４）．第４実施形態
図１４は本願発明の第４実施形態を示している。図１４のうち（ａ）は第４実施形態におけるロック状態でのスライド板の拡大背面図、（ｂ）はハンドル部材の拡大平面断面図である。
【００８２】
第４実施形態は第３実施形態の変形例であり、機械的連動機構１３を構成するスライド板３４に、当該スライド板３４が矢印ＳＲ方向にスライド移動した状態で、トリガー体１５における連動アーム部２３の先端部が逆方向（矢印ＳＬ方向）に戻るのを許容するだけ左右に長い角穴１１５が形成されている点と、トリガー体１５の枢支軸２４に、トリガー体１５を図１４（ｂ）において枢支軸２４回りの時計方向（扉３の閉止方向）に常時付勢するコイルバネ１１６が被嵌されている点とにおいて、第３実施形態と相違している。その他の構成は第３実施形態と概ね同様である。
【００８３】
このように構成すると、扉３を開放した後にハンドル部材５から手を離せば、扉３を閉止していなくてもトリガー体１５を図１４（ｂ）の実線にて示す元の状態に戻せることになる。なお、第４実施形態の構成を、第１又は第２実施形態に取り入れてもよいことは言うまでもない。また、第１回転盤７５ａの一端に、左右に長い穴を形成し、スライド板３４に突設させたピンを、前記穴に遊嵌させてもよい。この場合も、第４実施形態と同様に、ハンドル部材５から手を離せばトリガー体１５が元に戻ることになる。
【００８４】
（５）．第５実施形態
図１５には、ハンドル部材５とスライド板３４との連動構造の別例を示している。図１５に示す第５実施形態では、ハンドル部材５を構成するトリガー体１５の連動アーム部２３が、第１〜第４実施形態のものより短くなっている一方、スライド板３４には、扉３の方向に突出する連動杆１１７が、連動アーム部２３の先端部に常時当接するように設けられている。その他の構成は概ね第３実施形態と同じである。
【００８５】
この場合、トリガー体１５の把持アーム部２２が、図１５において枢支軸２４回りの反時計方向（扉３の開放方向）に水平回動すると（二点鎖線状態参照）、連動アーム部２３が把持アーム部２２と共に枢支軸２４回りに一体回動し、その先端部の押圧作用にて、スライド板３４の連動杆１１７を矢印ＳＲ方向に押圧してスライド移動させる。その結果、収容本体２の係合穴（図示せず）と各ロック杆７２の係合が解除され、扉３の開閉を許容する没入状態（フリー状態）になる。
【００８６】
その後、扉３を閉止したときは、引っ張りバネ３７の弾性復元力を利用して、スライド板３４ひいては連動杆１１７が矢印ＳＬ方向にスライド移動し、連動アーム部２３の先端部を矢印ＳＬ方向に押圧する。その結果、トリガー体１５の把持アーム部２２が、図１５において枢支軸２４回りの時計方向（扉３の閉止方向）に水平回動して、図１５の実線にて示す元の状態に戻るのである。なお、第５実施形態の構成を、第１又は第２実施形態に取り入れることも可能である。
【００８７】
（６）．その他
本願発明は、前述の実施形態に限らず、様々な態様に具体化できる。例えば本願発明は金庫以外に、金庫室や危険物保管室のように建物の一部になっている構造体にも適用可能である。また、ハンドル部材５のグリップ体１６は少なくとも一端を扉３の前面又は操作筐体６に固定していればよい。トリガー体１５は実施形態のような水平回動式のものに限らず、前後スライド式（扉３の開閉方向にスライドするタイプ）のものでもよいし、前後フラップ式（扉３の開閉方向に回動するタイプ）のものでもよい。
【００８８】
その他、各部の構成は図示の実施形態に限定されるものではなく、本発明の趣旨を逸脱しない範囲で種々変更が可能である。
【図面の簡単な説明】
【００８９】
【図１】第１実施形態における金庫の斜視図である。
【図２】（ａ）は扉の背面側の説明図、（ｂ）はロック杆収納機構の説明図である。
【図３】ハンドル部材及び操作筐体の拡大正面図である。
【図４】ハンドル部材及び操作筐体の拡大平面図である。
【図５】ハンドル部材の拡大平面断面図である。
【図６】操作筐体の拡大側面図である。
【図７】ダイヤル錠の取り付け態様を示す拡大斜視図である。
【図８】（ａ）は操作筐体に設けられた操作部の第２実施形態を示す要部拡大図、（ｂ）は第２実施形態の別例を示す要部拡大図である。
【図９】第２実施形態における操作筐体の拡大側面図である。
【図１０】（ａ）は第３実施形態におけるロック状態での扉の背面説明図、（ｂ）はフリー状態での扉の背面説明図である。
【図１１】ハンドル部材の拡大平面断面図である。
【図１２】（ａ）は開放状態でのロック杆収納機構の拡大背面図、（ｂ）は閉止状態でのロック杆収納機構の拡大背面図である。
【図１３】（ａ）は開放状態でのロック杆収納機構の平面断面図、（ｂ）は閉止状態でのロック杆収納機構の平面断面図である。
【図１４】（ａ）は第４実施形態におけるロック状態でのスライド板の拡大背面図、（ｂ）はハンドル部材の拡大平面断面図である。
【図１５】第５実施形態におけるハンドル部材の拡大平面断面図である。
【符号の説明】
【００９０】
１  金庫
２  収容本体
３  扉
４  蝶番
５  ハンドル部材
６  操作筐体
７  ボルト
８  ダイヤル錠
９  ダイヤル摘み
１０  シリンダ錠
１２，７２  ロック手段としてのロック杆
１３，７３  機械的連動機構
１５  トリガー体
１６  グリップ体
１７  把手部
２０  化粧板
２２  把持アーム部
２３  連動アーム部
２５  基台
２６  蓋カバー体
２９  ダイヤル軸
３３，７５ａ，７５ｂ  回転盤
３４  スライド板
【図１】
0004960924.tif 000002
【図２】
0004960924.tif 000003
【図３】
0004960924.tif 000004
【図４】
0004960924.tif 000005
【図５】
0004960924.tif 000006
【図６】
0004960924.tif 000007
【図７】
0004960924.tif 000008
【図８】
0004960924.tif 000009
【図９】
0004960924.tif 000010
【図１０】
0004960924.tif 000011
【図１１】
0004960924.tif 000012
【図１２】
0004960924.tif 000013
【図１３】
0004960924.tif 000014
【図１４】
0004960924.tif 000015
【図１５】
0004960924.tif 000016